(57)【要約】【課題】本発明は、上述のような問題点に鑑み、浄水器用切替弁の上下方向厚さが大きくなく、浄水器下面の清掃もしやすいコンパクトな浄水器を提供することにある。【解決手段】カムシャフトの回動により前記カムシャフトのカムが複数の弁体を押圧することによって、前記複数の弁体を移動させて複数の流路を切り替える切替弁を有する浄水器であって、前記複数の弁体の移動方向は、前記複数の弁体による前記流路の開閉部の開口面に略垂直であり、かつ鉛直方向から所定の角度だけ傾いていることを特徴とする浄水器。【選択図】図１
2013154334.tif 000002
【特許請求の範囲】
【請求項１】
カムシャフトの回動により前記カムシャフトのカムが複数の弁体を押圧することによって、前記複数の弁体を移動させて複数の流路を切り替える切替弁を有する浄水器であって、前記複数の弁体の移動方向は、前記複数の弁体による前記流路の開閉部の開口面に略垂直であり、かつ鉛直方向から所定の角度だけ傾いていることを特徴とする浄水器。
【請求項２】
前記複数の弁体の移動が、前記複数の弁体のいずれか一つを押圧することにより行われ、前記複数の弁体の移動により前記流路を開放するものであることを特徴とする請求項１に記載の浄水器。
【請求項３】
前記複数の弁体の移動が、前記複数の弁体のいずれか一つを押圧することにより行われ、前記複数の弁体の移動により前記流路を閉塞するものであることを特徴とする請求項１に記載の浄水器。
【請求項４】
前記複数の弁体がシール部を有する弁棒であって、前記カムシャフトのカムによって前記弁棒の端部が押圧されることを特徴とする請求項２または３に記載の浄水器。
【請求項５】
前記複数の弁体がシール性を有するボールであって、前記カムシャフトのカムによって前記ボールが押圧されることを特徴とする請求項２または３に記載の浄水器。
【請求項６】
前記カムシャフトを回動させることによって前記複数の弁体を移動させて複数の流路を切り替える切替弁を有する浄水器であって、前記複数の弁体の移動方向が鉛直方向から所定の角度だけ傾いており、かつ前記複数の弁体がシール部と内部に凹凸を設けた枠体を有し、前記枠体を貫通するように前記カムシャフトが配置され、前記カムシャフトの回動により前記カムシャフトの前記カムが前記枠体の前記凹凸を押圧し、前記弁体が移動され、前記流路を開閉するものであることを特徴とする浄水器。
【請求項７】
前記所定の角度が鉛直方向から４５度〜１３５度だけ傾いた範囲であることを特徴とする請求項１〜６のいずれかに記載の浄水器。
【請求項８】
前記複数の流路の切り替えが、少なくとも、前記切替弁の原水流入口へ流入する原水を、原水のまま吐出させる流路と原水をろ過するカートリッジへ原水供給する流路とへの切り替えを含み、かつ前記所定の角度が鉛直方向から略９０度であることを特徴とする請求項１〜７のいずれかに記載の浄水器。
【請求項９】
区画壁と原水の流入する原水流入口とを有する上流室を設け、前記区画壁には前記上流室とその下流側とを連通する複数の連通口を設け、前記連通口は、前記連通口に対応して設ける複数の弁体によって開閉可能であり、前記弁体が、弁体移動手段によって移動することにより、前記連通口が選択的に開閉され、流入する前記原水の流路を複数の流路のいずれかへと切り替える切替弁を有する切替器と、前記切替器に接続し原水をろ過するカートリッジとを有する浄水器であって、前記複数の連通口の開口中心は略１つの水平面内にあり、かつ前記複数の弁体の移動軸は鉛直方向から４５度〜１３５度の範囲で傾いていることを特徴とする浄水器。
【請求項１０】
前記複数の弁体の移動軸は鉛直方向から略９０度傾いて、前記略１つの水平面内にあることを特徴とする請求項９に記載の浄水器。
【請求項１１】
前記複数の連通口の開口中心は略１つの直線上に配列されると共に、前記複数の弁体の移動軸は略一つの平面内にあって互いに平行であり、かつそれぞれが対応する前記連通口の開口軸と一致することを特徴とする請求項９または１０に記載の浄水器。
【請求項１２】
前記上流室の下流側には、前記区画壁によって前記上流室と区画され、前記複数の流路へと前記原水を流出させる複数の流出口を有する下流室を設けることを特徴とする請求項９〜１１のいずれかに記載の浄水器。
【請求項１３】
前記弁体移動手段は、前記下流室に収容されていることを特徴とする請求項１２に記載の浄水器。
【請求項１４】
前記弁体移動手段は、回動軸が水平方向に配置される回動可能なカムシャフトに設けられる、前記複数の弁体に対応して当接可能な複数のカムであり、かつ前記カムシャフトには切替レバーが係合し、前記カムシャフトは前記切替レバーの回動操作に伴い回動することを特徴とする請求項９〜１３のいずれかに記載の浄水器。
【請求項１５】
前記カムシャフトと前記切替レバーは直結され、前記カムシャフトの回動軸と前記複数の弁体の移動軸とは略同一水平面内にあり、かつ直交することを特徴とする請求項１４に記載の浄水器。
【請求項１６】
前記上流室の前記原水流入口は前記上流室の鉛直上面に配置され、かつ前記切替弁の鉛直上部には、前記原水流入口に連通し、蛇口からの前記原水を受け入れる原水入口部が設けられていることを特徴とする請求項９〜１５のいずれかに記載の浄水器。
【請求項１７】
前記複数の弁体の移動軸方向の力を、前記複数の弁体にそれぞれ付与する複数の付勢手段を設けることを特徴とする請求項９〜１６のいずれかに記載の浄水器。
【請求項１８】
前記複数の弁体の移動軸に直交する、前記上流室の側面に開口部を設け、かつ該開口部を閉塞する蓋を設けると共に、該蓋内面と前記複数の弁体の一端との間に、それぞれ前記付勢手段を設けることを特徴とする請求項１７に記載の浄水器。
【請求項１９】
前記原水および／または前記原水をろ過するカートリッジから流出される浄水を外部に吐出させる吐水キャップが、前記切替弁の前記原水および／または浄水の吐水部に着脱可能に取り付けられることを特徴とする請求項１〜１８のいずれかに記載の浄水器。
【発明の詳細な説明】
【技術分野】
【０００１】
本発明は、主に家庭で使用し、水道水をろ過する家庭用浄水器に関する。
【背景技術】
【０００２】
切替器を蛇口に取り付け、切替器に含まれる切替弁で流路を切り替えて使用する蛇口直結型浄水器が数多く提案されている。この種類の浄水器は、原水は切替器から直接吐出し、浄水は切替器または切替器に取り付けたカートリッジから吐出するタイプのものが提案されている。さらに、原水の吐出はストレート状とシャワー状を選択できるタイプが多く、原水ストレート状と原水シャワー状の吐水口は、一般的に切替器の下面に設けられている。
【０００３】
このため、蛇口に取り付けて長期間使用すると、シンクで洗浄水や洗剤などが跳ね返り、汚れやバイオフィルムが原水シャワーの穴に詰まり、流量が低下することが起こり得る。また、水道配管中の異物が切替器内部側から原水シャワーの穴に詰まる可能性もある。このように切替器下面は汚れ、また切替器以外の部分も含めて浄水器下面は汚れることになる。
【０００４】
このため、使用者は、キッチンシンクと蛇口に取り付けられた切替器との空間に顔を入れ、覗き込み、切替器下面を含めて浄水器下面を清掃する必要がある。
【０００５】
しかしながら、特許文献１に記載される従来型の切替弁では、リンクと傘型形状が上下方向に繋がった縦長の弁体を鉛直上下方向に移動させる構造のために、切替弁ならびに切替器全体の上下方向厚さが大きく、キッチンシンクと蛇口に取り付けられた切替器との間の空間が狭くなり、切替器下面（浄水器下面）を清掃しづらいという問題があった。
【０００６】
特許文献１では、このため、原水シャワー吐出口の部分が、切替器本体部に脱着可能な浄水器も開示されている。しかし、脱着可能な原水シャワー吐出口の取り付け構造寸法も加わり、さらに切替器全体の上下方向厚さが大きくなるので、キッチンシンクと蛇口に取り付けられた切替器との間の空間はより狭くなり、原水シャワー吐出口の部分の取り外しが行いにくかった。
【０００７】
切替器としては、特許文献２に開示されるようなタイプもあるが、特許文献１と同様に、弁体を鉛直上下方向に移動させる構造であることには変わりなく、切替弁ならびに切替器全体の上下方向厚さが大きくなるという問題は解決されていなかった。
【先行技術文献】
【特許文献】
【０００８】
【特許文献１】特開２００８−１７３５３８号公報
【特許文献２】特開２０００−２１０６６１号公報
【発明の概要】
【発明が解決しようとする課題】
【０００９】
本発明は、上述のような問題点に鑑み、浄水器用切替弁の上下方向厚さが大きくなく、浄水器下面の清掃もしやすいコンパクトな浄水器を提供することにある。
【課題を解決するための手段】
【００１０】
前記課題を解決するため、本発明の浄水器は下記の構成から成る。すなわち、
カムシャフトの回動により前記カムシャフトのカムが複数の弁体を押圧することによって、前記複数の弁体を移動させて複数の流路を切り替える切替弁を有する浄水器であって、前記複数の弁体の移動方向は、前記複数の弁体による前記流路の開閉部の開口面に略垂直であり、かつ鉛直方向から所定の角度だけ傾いていることを特徴とする浄水器である。
【００１１】
ここで、前記複数の弁体の移動が、前記複数の弁体のいずれか一つを押圧することにより行われ、前記複数の弁体の移動により前記流路を開放する浄水器であると好ましい。
【００１２】
また、前記複数の弁体の移動が、前記複数の弁体のいずれか一つを押圧することにより行われ、前記複数の弁体の移動により前記流路を閉塞する浄水器であると好ましい。
【００１３】
また、前記複数の弁体がシール部を有する弁棒であって、前記カムシャフトのカムによって前記弁棒の端部が押圧される浄水器であると好ましい。
【００１４】
また、前記複数の弁体がシール性を有するボールであって、前記カムシャフトのカムによって前記ボールが押圧される浄水器であると好ましい。
【００１５】
さらに、前記カムシャフトを回動させることによって前記複数の弁体を移動させて複数の流路を切り替える切替弁を有する浄水器であって、前記複数の弁体の移動方向が鉛直方向から所定の角度だけ傾いており、かつ前記複数の弁体がシール部と内部に凹凸を設けた枠体を有し、前記枠体を貫通するように前記カムシャフトが配置され、前記カムシャフトの回動により前記カムシャフトの前記カムが前記枠体の前記凹凸を押圧し、前記弁体が移動され、前記流路を開閉するものであることを特徴とする浄水器である。
【００１６】
また、前記所定の角度が鉛直方向から４５度〜１３５度だけ傾いた範囲である浄水器であると好ましい。
【００１７】
また、前記複数の流路の切り替えが、少なくとも、前記切替弁の原水流入口へ流入する原水を、原水のまま吐出させる流路と原水をろ過するカートリッジへ原水供給する流路とへの切り替えを含み、かつ前記所定の角度が鉛直方向から略９０度である浄水器であると好ましい。
【００１８】
さらに、区画壁と原水の流入する原水流入口とを有する上流室を設け、前記区画壁には前記上流室とその下流側とを連通する複数の連通口を設け、前記連通口は、前記連通口に対応して設ける複数の弁体によって開閉可能であり、前記弁体が、弁体移動手段によって移動することにより、前記連通口が選択的に開閉され、流入する前記原水の流路を複数の流路のいずれかへと切り替える切替弁を有する切替器と、前記切替器に接続し原水をろ過するカートリッジとを有する浄水器であって、前記複数の連通口の開口中心は略１つの水平面内にあり、かつ前記複数の弁体の移動軸は鉛直方向から４５度〜１３５度の範囲で傾いていることを特徴とする浄水器である。
【００１９】
ここで、前記複数の弁体の移動軸は鉛直方向から略９０度傾いて、前記略１つの水平面内にある浄水器であると好ましい。
【００２０】
また、前記複数の連通口の開口中心は略１つの直線上に配列されると共に、前記複数の弁体の移動軸は略一つの平面内にあって互いに平行であり、かつそれぞれが対応する前記連通口の開口軸と一致する浄水器であると好ましい。
【００２１】
また、前記下流側には、前記区画壁によって前記上流室と区画され、前記複数の流路へと前記原水を流出させる複数の流出口を有する下流室を設ける浄水器であると好ましい。
【００２２】
また、前記弁体移動手段は、前記下流室に収容されている浄水器であると好ましい。
【００２３】
また、前記弁体移動手段は、回動軸が水平方向に配置される回動可能なカムシャフトに設けられる、前記複数の弁体に対応して当接可能な複数のカムであり、かつ前記カムシャフトには切替レバーが係合し、前記カムシャフトは前記切替レバーの回動操作に伴い回動する浄水器であると好ましい。
【００２４】
また、前記カムシャフトと前記切替レバーは直結され、前記カムシャフトの回動軸と前記複数の弁体の移動軸とは略同一水平面内にあり、かつ直交する浄水器であると好ましい。
【００２５】
また、前記上流室の前記原水流入口は前記上流室の鉛直上面に配置され、かつ前記切替弁の鉛直上部には、前記原水流入口に連通し、蛇口からの前記原水を受け入れる原水入口部が設けられている浄水器であると好ましい。
【００２６】
また、前記複数の弁体の移動軸方向の力を、前記複数の弁体にそれぞれ付与する複数の付勢手段を設ける浄水器であると好ましい。
【００２７】
また、前記複数の弁体の移動軸に直交する、前記上流室の側面に開口部を設け、かつ該開口部を閉塞する蓋を設けると共に、該蓋内面と前記複数の弁体の一端との間に、それぞれ前記付勢手段を設ける浄水器であると好ましい。
【００２８】
また、前記原水および／または前記原水をろ過するカートリッジから流出される浄水を外部に吐出させる吐水キャップが、前記切替弁の前記原水および／または浄水の吐水部に着脱可能に取り付けられる浄水器であると好ましい。
【発明の効果】
【００２９】
本発明は、上記の構成により以下の優れた効果を奏することができる。すなわち、
カムシャフトの回動により前記カムシャフトのカムが複数の弁体を押圧することによって、前記複数の弁体を移動させて複数の流路を切り替える切替弁を有する浄水器であって、前記複数の弁体の移動方向は、前記複数の弁体による前記流路の開閉部の開口面に略垂直であり、かつ鉛直方向から所定の角度だけ傾いているため、弁体の移動方向が水平に近い方向となり、切替弁の上下方向厚さを縮減できる。これにより、浄水器下面の清掃がしやすいコンパクトな浄水器が提供できる。
【００３０】
また、前記複数の弁体の移動が、前記複数の弁体のいずれか一つを押圧することにより行われ、前記複数の弁体の移動により前記流路を開放するため、前記複数の流路を選択的に切り替えることができる。
【００３１】
また、前記複数の弁体の移動が、前記複数の弁体のいずれか一つを押圧することにより行われ、前記複数の弁体の移動により前記流路を閉塞するため、前記複数の流路を選択的に切り替えることができる。
【００３２】
また、前記複数の弁体がシール部を有する弁棒であって、前記カムシャフトのカムによって前記弁棒の端部が押圧されるため、弁体が棒状の細身であり、切替弁の上下方向厚さ縮減に寄与できる。また、切替弁のシール性を確実にすることができる。
【００３３】
また、前記複数の弁体がシール性を有するボールであって、前記カムシャフトのカムによって前記ボールが押圧されるため、弁体が球状で、安価かつ小型にでき、切替弁の上下方向厚さ縮減に寄与できる。また、切替弁のシール性を確実にすることができる。
【００３４】
さらに、前記カムシャフトを回動させることによって前記複数の弁体を移動させて複数の流路を切り替える切替弁を有する浄水器であって、前記複数の弁体の移動方向が鉛直方向から所定の角度だけ傾いており、かつ前記複数の弁体がシール部と内部に凹凸を設けた枠体を有し、前記枠体を貫通するように前記カムシャフトが配置され、前記カムシャフトの回動により前記カムシャフトの前記カムが前記枠体の前記凹凸を押圧し、前記弁体が移動され、前記流路を開閉するものであるため、弁体の移動方向が水平に近い方向となり、切替弁の上下方向厚さを縮減できる。これにより、浄水器下面の清掃がしやすいコンパクトな浄水器が提供できる。また、カムシャフトと弁体を１つの場所（室）に配置することが可能であり、設計・製作が容易、かつ切替弁をコンパクトにするができる。弁体付勢手段がなくても、十分確実に流路の開閉を行うことができる。
【００３５】
また、前記所定の角度が鉛直方向から４５度〜１３５度だけ傾いた範囲であるため、弁体の移動方向がより水平に近い方向となり、より切替弁の上下方向厚さを縮減できる。
【００３６】
また、前記複数の流路の切り替えが、少なくとも、前記切替弁の原水流入口へ流入する原水を、原水のまま吐出させる流路と原水をろ過するカートリッジへ原水供給する流路とへの切り替えを含み、かつ前記所定の角度が鉛直方向から略９０度であるため、弁体の移動方向は水平方向となり、さらに切替弁の上下方向厚さを縮減できる。
【００３７】
また、区画壁と原水の流入する原水流入口とを有する上流室を設け、前記区画壁には前記上流室とその下流側とを連通する複数の連通口を設け、前記連通口は、前記連通口に対応して設ける複数の弁体によって開閉可能であり、前記弁体が、弁体移動手段によって移動することにより、前記連通口が選択的に開閉され、流入する前記原水の流路を複数の流路のいずれかへと切り替える切替弁を有する切替器と、前記切替器に接続し原水をろ過するカートリッジとを有する浄水器であって、前記複数の連通口の開口中心は略１つの水平面内にあり、かつ前記複数の弁体の移動軸は鉛直方向から４５度〜１３５度の範囲で傾いているため、複数の連通口は水平面内にあることになり、かつ弁体の移動軸が水平に近い方向となり、切替弁および切替器の上下方向厚さを縮減できる。これにより、浄水器下面の清掃がしやすいコンパクトな浄水器が提供できる。
【００３８】
また、前記複数の弁体の移動軸は鉛直方向から略９０度傾いて、前記略１つの水平面内にあるため、弁体の移動方向は水平方向となり、切替弁の弁部分（連通口と弁体）およびその移動に関わる部分は水平配置・配向され、横長に配置されることになるので、より切替弁および切替器の上下方向厚さを縮減できる。
【００３９】
また、前記複数の連通口の開口中心は略１つの直線上に配列されると共に、前記複数の弁体の移動軸は略一つの平面内にあって互いに平行であり、かつそれぞれが対応する前記連通口の開口軸と一致するため、弁体は略１つの平面内にあり、かつ略１つの直線状にあると言え、より切替弁および切替器の上下方向厚さを縮減できると共に、切替弁の設計・製作も容易となる。
【００４０】
また、前記下流側には、前記区画壁によって前記上流室と区画され、前記複数の流路へと前記原水を流出させる複数の流出口を有する下流室を設けるため、原水の流路を切り替えるための前記複数の流路を提供しやすくなると共に、弁体移動手段を収容することが可能な囲われた空間を提供できる。
【００４１】
また、前記弁体移動手段は、前記下流室に収容されているため、弁体を下流側から押圧可能となる。
【００４２】
また、前記弁体移動手段は、回動軸が水平方向に配置される回動可能なカムシャフトに設けられる、前記複数の弁体に対応して当接可能な複数のカムであり、かつ前記カムシャフトには切替レバーが係合し、前記カムシャフトは前記切替レバーの回動操作に伴い回動するため、切替レバーの回動操作で簡単に、弁体を移動し原水の流路を複数の流路のいずれかへと切り替えることができる。
【００４３】
また、前記カムシャフトと前記切替レバーは直結され、前記カムシャフトの回動軸と前記複数の弁体の移動軸とは略同一水平面内にあり、かつ直交するため、カムシャフトの直径は、弁部分の厚さの中に含まれてしまい、切替弁の上下方向厚さにほとんど影響しなくなるので、一層切替弁および切替器の上下方向厚さを縮減することができる。また、切替弁の設計・製作も容易となる。
【００４４】
また、前記上流室の前記原水流入口は前記上流室の鉛直上面に配置され、かつ前記切替弁の鉛直上部には、前記原水流入口に連通し、蛇口からの前記原水を受け入れる原水入口部が設けられているため、受け入れる原水を上から下に流し上流室へと流入させることができる。
【００４５】
また、前記複数の弁体の移動軸方向の力を、前記複数の弁体にそれぞれ付与する複数の付勢手段を設けるため、弁体の移動による流路の開放または閉塞のために、弁体に力を付与することができる。
【００４６】
また、前記複数の弁体の移動軸に直交する、前記上流室の側面に開口部を設け、かつ該開口部を閉塞する蓋を設けると共に、該蓋内面と前記複数の弁体の一端との間に、それぞれ前記付勢手段を設けるため、開口部から弁体および付勢手段を取り出し、交換や洗浄・修理などを行うことができる。
【００４７】
また、前記原水および／または前記原水をろ過するカートリッジから流出される浄水を外部に吐出させる吐水キャップが、前記切替弁の前記原水および／または浄水の吐水部に着脱可能に取り付けられるため、浄水器自体は蛇口に取り付けたまま吐水キャップを取り外して洗浄することができるので、容易に吐水キャップの吐出口を上流側からも下流側からも清掃し、その吐出口の孔に詰まった汚れを完全に取り除くことができる。従って切替器および／またはカートリッジの下面を非常に衛生的に保つことができる。さらに、吐水キャップは切替弁の吐水部に直接取り付いているので、水密シールは２部材間のみで行われるため、設計・製作が容易・正確であって、水密シールが確実となり水漏れの可能性を大幅に低減できる。
【図面の簡単な説明】
【００４８】
【図１】本実施形態の浄水器の外観正面図
【図２】本実施形態の切替器の正面縦断面図
【図３】本実施形態の切替器の水平断面図
【図４】本実施形態の切替器の側面縦断面図
【図５】本実施形態の切替器の下面図
【図６】本実施形態の切替弁の下側斜視図
【図７】本実施形態の切替弁ケースの上面図
【図８】本実施形態の吐水キャップ斜視図
【図９】（ａ）本実施形態の保護カバーを外した状態における吐水キャップ装着開始位置を示す上面図（ｂ）図９（ａ）のときの下面図（ｃ）本実施形態の保護カバーを外した状態における吐水キャップ装着完了位置を示す下面図。
【図１０】（ａ）本実施形態の切替器右側面図（ｂ）図１０（ａ）に吐水キャップを装着した状態を示す右側面図
【図１１】本実施形態における保護カバー斜視図
【図１２】一変形実施形態における切替弁の側面縦断面概略図
【図１３】本実施形態における保護カバーを装着した切替器の下面側斜視図
【図１４】本実施形態における保護カバーを装着した切替器の右側面図
【発明を実施するための形態】
【００４９】
以下、本発明の実施形態の例を、蛇口直結型浄水器を例にとり図面を参照しながら説明する。
【００５０】
本発明では、シール部材を介して、あるいは圧入により、接する複数の部材の間が締結され、締結部分のみで原水や浄水が行き来できない状態を水密と呼び、該当部材に締結部分以外の穴があっても良いものとする。なお本発明は以下に示す実施形態に限定されるものではなく、据え置き型浄水器の切替器に適用する実施形態など、上記本発明の目的を達成できるものであればよい。
【００５１】
また、本発明の実施形態について、切替器２をカートリッジの交換時期表示手段が読める向きで蛇口に取り付けた状態で、作業者側の面を前面、作業者から向かって右側を右側面、作業者から向かって左側を左側面、作業者から最も遠い面を背面と呼び、同状態において蛇口側を上面、シンク側を下面と呼ぶ。また、作業者側を手前とする。
【００５２】
まず、本発明の実施形態の全体構成について説明する。
【００５３】
本発明の実施形態である浄水器１の外観正面図を図１に示す。浄水器１は、切替器２と切替器２に接続するろ過用のカートリッジ３と切替器２の下方を着脱可能に覆う保護カバー４で構成される。
【００５４】
切替器２は取付けナット１１によって蛇口の先端に固定され、図２のように、切替弁１２と、切替弁１２を上下で挟んで覆い互いに係合する上カバー１３と下カバー１４と、切替弁１２とつながり上カバー１３および下カバー１４の側方に位置する切替レバー１５と、切替弁１２の原水吐水部に接続される吐水キャップ１７を有する。
【００５５】
切替弁１２は、蛇口から給水される原水の流路を切り替える弁であり、切替弁１２に入った原水は、切替レバー１５の回転角度によって、原水ストレート、原水シャワー、カートリッジ３への原水供給のいずれかの形態で吐出する。
【００５６】
切替弁１２を通過した原水は、切替弁１２の原水吐水部に着脱可能に取り付けられた吐水キャップ１７から外部に吐出する。吐水キャップ１７は原水ストレート吐出口と原水シャワー吐出口を有し、原水ストレートと原水シャワーの形状は、吐水キャップ１７により形成される。
【００５７】
ここで、本実施形態における切替器２とは、カートリッジ３と保護カバー４を除き、蛇口に取り付けて使用される組立体を意味する。
【００５８】
切替器２は蛇口先端に取り付けて使用するため、通水時にシンクから跳ね返った汚れが裏側に付着しやすい。本実施形態の切替器２は少なくとも切替器２の下方を覆う保護カバー４を有しているため、保護カバー４を取り外して洗浄することで、切替器２を蛇口に取り付けたまま切替器２の裏側の汚れを洗浄することができる効果がある。ここで、下方とは、底面図で表したときに図面で表現できる範囲をいう。
【００５９】
本実施形態では吐水キャップ１７を取り外して洗浄することができるため、原水シャワー吐出口の多数のシャワー孔に詰まった汚れを取り除き、流量を回復させることができる。従来品は製品の外側からシャワー孔の洗浄を行っていたため、孔の詰まりを一時的に解消することはできても、詰まりの原因がシャワー孔より上流に滞留するためすぐに再度詰まる問題があった。本実施形態では、吐水キャップ１７を取り外してシャワー孔より上流に滞留していた詰まりの原因を完全に洗い流して除去することにより、目詰まりの発生頻度を大幅に下げることができる。
【００６０】
本実施形態では、吐水キャップ１７を切替弁１２に接続した。下カバー１４に取り付ける従来の構造では、原水が部材間から漏れ出すことを防ぐために、切替弁１２と下カバー１４と吐水キャップ１７の少なくとも３部材の成形精度を高め、少なくとも３部材の位置決めをした上で装着することで水密状態をつくる必要があった。これに対し本実施形態では、吐水キャップ１７と切替弁１２の２部材だけで水密状態が作られており、成形品の収率が高まる点および容易に水密状態を作れる利点がある。
【００６１】
本実施形態では、吐水キャップ１７に原水ストレートと原水シャワーの２種類の吐出口を設けた。原水は主に食器洗浄時に使用され、勢いよく洗い流せる原水ストレートと、広範囲を一度に洗い流せる原水シャワーを使い分けされる傾向があるため、浄水器にも複数種類の吐出形態を有することが求められる。吐水キャップ１７に複数種類の吐出口を設けたため、すべての種類の吐出口を洗浄することが可能となり、切替器２をより一層衛生的に維持することができる。
【００６２】
切替器２について図１から図１４を用いて説明する。
【００６３】
上カバー１３は、手前側中央にカートリッジ３の交換時期を示す液晶表示１６（カートリッジの交換時期表示手段）を有する。
【００６４】
下カバー１４は、原水を挿通可能とする開口を中央付近に有する。
【００６５】
切替弁１２は上端に原水入口部２１を有し、下端に原水吐水部５１を有する。切替弁１２の原水吐水部５１は図６のように二重の円筒形状になっており、外側円筒の外壁には、吐水キャップ１７を着脱するバヨネット溝５２を有する。内側円筒の内側からなる原水ストレート流路５３と、内側円筒と外側円筒との間の円環状部分に形成される原水シャワー流路５４の、二つの原水吐出用の流路が設けられている。内側円筒の外周には内側Ｏリング５５が装着され、外側円筒の外周には外側Ｏリング５６が装着されている。
【００６６】
切替弁１２における、複数の流路を切り替えるための構成、構造について、以下説明する。
【００６７】
尚、以下の本発明の実施形態の記載において、１つの水平面内、同一面内、１直線上、平行、直交、垂直、所定の角度等の角度など、配置、配向に関して表現した部分については、製作上の精度、設計上の制約、もしくは意図する設計などのために、例えば数ｍｍや数度のずれは許容され、略そのようになっていればよいものとする。
【００６８】
図３は切替弁１２を備えた切替器２の水平断面図、図４は切替器２の側面の縦端面図である。
【００６９】
切替弁１２は、切替弁ケース２３と、それに収容される３つの弁体２４、弁体バネ２５（付勢手段）、カムシャフト２６と、ケース蓋２７（蓋）とから主に構成されている。カムシャフト２６の端部には、切替器２の切替レバー１５が接続されている。本実施形態では、原水の流路の切り替えは、原水シャワー吐出用、原水ストレート吐出用、カートリッジ３への原水供給用の３つの流路のいずれかへの切り替えであるので、切り替えに必要となる弁体等は３つとして、記述しているが、原水のまま吐出させる流路とカートリッジへ原水供給する流路の２つの流路、またはそれらを含む３つより多い複数の流路の切り替えを行う形態もあり得る。
【００７０】
切替弁１２（より詳しくは切替弁ケース２３）の鉛直上部は、蛇口からの原水を受け入れる原水入口部２１であり、中心軸を鉛直方向とする円筒部をなしている。原水入口部２１の下部には、切替弁１２の上流室２９が配置されている。原水入口部２１の円筒部底面の偏心した一部分であり、かつ上流室２９の鉛直上面に当たる位置には、原水入口部２１の原水入口２２から給水され、円筒部内部に配される蛇口パッキンの中央開口を通過する原水を、上流室２９に流入させるための原水流入口２８が形成されている。原水流入口２８が円筒部底面の偏心した位置にあるのは、原水入口部２１を通過する原水の流れの向きを変えて、その下流において水平方向に配置された弁部分（後述の連通口３１と弁体２４）を水平方向に通過させるためである。また、原水入口２２から鉛直下方に給水される原水を、偏流を抑えスムーズに、偏心した位置にある原水流入口２８に流し、水平方向の流れに変えるために、円筒部底面には、図７の切替弁ケース２３平面図において上下で形状の異なる略放射状の水流ガイド用のリブ形状が形成されている。
【００７１】
上流室２９の水平方向下流側には、下流室３０が設けられている。これら切替弁ケース２３内に設けられる上流室２９、下流室３０の両室は、その隔壁をなす区画壁３２によって、区画されている。区画壁３２には、上流室２９と下流室３０とを連通する円形・同一口径の３つの連通口３１が、その開口中心（円形開口でない場合も含め、開口面の重心と定義する。また３つの連通口の口径はそれぞれ異なっていてもよい。）を水平面内かつ１直線上になるよう配列されている。また３つの連通口３１の開口軸（連通口の開口中心における開口面に対する法線方向軸と定義する。）も、前記水平面内にあり、かつ互いに平行となっている。
【００７２】
ここで、上流室２９の下流側は、１つの囲われた空間としての下流室３０を構成している必要は必ずしもない。上流室２９の下流側は、（複数の）連通口３１を通じて上流室２９と連通し、原水の流路を切り替えるための複数の流路を提供できる構造がありさえすればよい。
【００７３】
連通口３１の開口周縁は弁体２４の弁座となる。３つの連通口３１には、周囲にシール用Ｏリングを装着し、かつ下流部に十字状リブを設けた、略柱状の弁体２４（シール部を有する弁棒の形態）が配設されている。十字状リブのリブ同士間の凹部は、水の流路となる。弁体２４の下流部先端部は、連通口３１を挿通し、下流室３０に突出しているので、後述するカム３３（弁体移動手段）が当接して押圧することができる。この弁体２４がカム３３の押圧によって移動し、連通口３１の弁座に当接すると連通口３１は閉となり、離間すると開となるので、連通口３１は弁体２４の移動により開閉可能となる。
【００７４】
３つの弁体２４の移動軸（弁体の移動方向であって、弁体の中心を通る軸と定義する。）は、前記連通口３１の開口軸が配置される１つの水平面と同一平面内にある。かつ３つの弁体２４の移動軸は互いに平行であり、それぞれが対応して配設される連通口３１の開口軸と一致している。
【００７５】
上記のように、連通口３１、弁体２４が１つの水平面内に配置され、弁体２４の移動もその水平面内で行われるため、切替弁１２の弁部分、ひいては切替弁１２、切替器２０全体の鉛直上下方向の寸法（厚さ）は、従来の、例えば、連通口、弁体が鉛直方向に配置され、かつ弁体の移動方向も鉛直方向の縦型配置のものより、大きく縮減されたものとなる。従来の配置・配向においては、弁部分およびその移動に関わる部分は全体として縦長寸法を有するが、本実施形態の水平配置・配向により、その部分を横長に配置できるからである。
【００７６】
本発明において、弁部分の配置や移動方向の実施形態は、上述のものに限られるものではない。目的とする切替弁の上下方向厚さの縮減の観点からすれば、複数の連通口の開口中心が略１つの水平面内にあり、かつ複数の弁体の移動軸が鉛直方向から４５度〜１３５度の範囲で傾いてさえいれば、効果を奏することができる。
【００７７】
複数の弁体の移動軸は鉛直方向から略９０度傾いて、略１つの水平面内にある場合、または、複数の連通口の開口中心が略１つの直線上に配列されると共に、複数の弁体の移動軸は略一つの平面内にあって互いに平行であり、かつそれぞれが対応する連通口の開口軸と一致する場合は、より切替弁の上下方向厚さの縮減に寄与するし、設計・製作上も容易となる。
【００７８】
弁体の移動軸の傾き角度が９０度でない場合、例えば４５度などの場合の一形態例を、上述の図４の実施形態に則して述べる。この場合、まず、弁体２４を上流室２９内において、その移動軸を鉛直方向から傾いて斜め４５度（図４において左上がり）となるように配設させる。そして、区画壁３２上の連通口３１の開口軸も傾かせて、同じ斜め４５度を向かせるとよい。この時、下流室内に配置されるカムシャフト２６の中心軸を、側面縦断面において、弁体２４の移動軸および連通口３１の開口軸の延長線上に配置すると設計し易い。こうした配置にすると、弁体２４の移動方向が斜め４５度になる違いはあるが、図４と似たような切替弁の動きとなる。切替弁の上下方向厚さは、図４よりは大きくなるが、従来の縦型配置よりは縮減される。一方この場合、上流室２９の鉛直上面の位置にある原水流入口２８から流入してくる原水を、その流れの向きを大きく変化させることなく、スムーズに弁部分へと流通させる効果がある。
【００７９】
３つの弁体２４の移動軸に直交する、上流室２９の側面には開口部が設けられ、その開口部は、ネジ止めされるケース蓋２７によって閉塞されている。ケース蓋２７を取り外すと、開口部から弁体２４および弁体バネ２５を取り出し、交換や洗浄・修理などを行うことができる。
【００８０】
本実施形態では、ケース蓋２７により開口部は開閉可能であるが、製作過程で弁体２４および弁体バネ２５を収容後、ケース蓋を開口部に超音波溶接等で固定してしまう場合もあり得る。さらに、開口部の位置は、３つの弁体２４の移動軸に平行な上流室２９側面とすることもできる。
【００８１】
ケース蓋２７内面と３つの弁体２４の一端との間には、それぞれの弁体２４に、その移動方向（水平方向）であって、連通口３１を閉塞する方向の力を付与する付勢手段としてのらせん状の弁体バネ２５が３つ設けられている。より詳しく述べると、弁体バネ２５は、弁体２４頭部溝とケース蓋２７の内面側に形成された案内穴に差し込まれ保持されている。そして、弁体２４頭部自体もケース蓋２７の案内穴に収容され、弁体２４の径方向（弁体の移動軸の直交方向）の位置決めがなされている。付勢手段は、らせん状のバネでなく、蛇腹状のバネや板バネなどで構成することも可能である。
【００８２】
弁体２４の径方向（弁体の移動軸の直交方向）の位置決め、動きの規制は、弁体２４のＯリングより下流部が連通口３１に挿通されているので、連通口３１の内周壁によっても行われている。さらに、上流室の上下の側面を弁体の側面に近接させたり、上流室内に弁体の側面に近接する仕切り板などの部材を設けて、弁体の径方向（弁体の移動軸の直交方向）の位置決め、動きの規制を行ってもよい。上流室の上下の側面を弁体の側面に近接させたることは、上流室の上下方向厚さ、ひいては切替弁の上下方向厚さを低減するためにも有効である。
【００８３】
今述べたように、弁体の径方向（弁体の移動軸の直交方向）の位置決め、動きの規制を行う構成が好ましい。そのような構成が存在しないと、（以降の実施形態も含めた）本発明で示す、鉛直方向配置（縦型配置）しない切替弁の構造では、弁体が重力や水の浮力で、径方向（弁体の移動軸の直交方向）に揺動するのではないかと懸念されるが、実際は、弁体の移動軸方向に作用する水流圧や弁体移動手段からの押圧で弁体は支えられて、実用上問題となるような弁体の移動軸の直交方向の揺動は生じないので、弁体の径方向（弁体の移動軸の直交方向）の位置決め、動きの規制を行う構成は必須ではない。
【００８４】
上記では、上流室側面の開口部とその蓋としてのケース蓋は、３つの弁体に対して、１つであったが、複数の弁体ごとに開口部と蓋がある形態でもよい。
【００８５】
下流室３０には、外部に設置される切替レバー１５に直結された略円柱棒状のカムシャフト２６が水平方向に挿入されている。切替レバー１５の回転操作により回転するカムシャフト２６の回転軸と前記３つの弁体２４の移動軸とは同一水平面内にあり、かつ直交している。このようにカムシャフトを配置すると、前述の連通口３１、弁体２４の配置・配向と相まって、一層切替弁１２の上下方向厚さを縮減することができる。従来の縦型配置では、カムシャフトの直径が、切替弁の厚さに加わっていたが、本実施形態では、弁部分の厚さの中に含まれてしまい、切替弁１２の上下方向厚さにほとんど影響しないからである。
【００８６】
カムシャフト２６には、３つの連通口３１に対応する回転軸方向位置に、前記３つの弁体２４に、それぞれ対応して当接可能な３つのカム３３が設けられており、弁体移動手段となっている。本実施形態では、カム３３は周方向に９０°ずつずらして設けられている。またカム３３を挟むようにカムシャフト２６には３つのＯリングが装着され、下流室３０の内面と水密に接合している。これにより下流室３０は、連通口３１に対応した３室に区画されることになっている。本実施形態では、弁体２４を押圧して移動させるこのカム３３（弁体移動手段）の押圧方向（の軸）は、弁体２４の移動方向（移動軸）と一致しており、水平方向である。ただし、カム（弁体移動手段）の押圧方向（の軸）と弁体の移動方向（移動軸）が一致せず、一定の角度（例えば０度〜４５度）をなしている実施形態もあり得る。
【００８７】
カムの位置は、周方向に９０°ずつずらした位置ではなく、４０°や６０°など一周である３６０°の約数になっていると好ましい。また、ある一つの連通口に対応して、同じカムシャフトの回転軸方向位置に複数のカムを設け、カムシャフト（および切替レバー）の回転ストップ位置を設けず、連続して前転、後転自在にして、複数のカムが当接する度に対応する弁体が移動し、連通口を開閉する態様でもよい。
【００８８】
なお、切替レバー１５はクリックストップ機構３４を備えており、カムシャフト２６の回転位置を簡単に設定することができる。
【００８９】
カムシャフトとその上に設けられるカムの配置は、上述の実施形態に限られるものではない。複数の連通口の配置に対応して、カムシャフトおよびカムの配置を決めればよく、必ずしも、カムシャフトの回転軸と弁体の移動軸とは同一水平面内にあり、かつ直交しているとは限らない。また。カムシャフトの形状も略円柱棒状とは限らず、複数の連通口の配置に対応して、複数の異なる直径の円盤部を有したシャフト形状や、クランクを有したシャフト形状である場合もあり得る。
【００９０】
上述のように３室に区画された下流室３０の下流側壁には、３つの連通口３１に連通し、連通口３１を通過してきた原水を出す流出口として、それぞれ、原水シャワー流出口、原水ストレート流出口、カートリッジ３への原水供給用流出口が形成されている。
【００９１】
下流室３０のさらに下流には、原水シャワー流出口、原水ストレート流出口に連通する流路である原水シャワー流路５４と原水ストレート流路５３とを内部に有する原水吐水部５１が存する。そして原水吐水部５１の外面には、着脱可能に係合する形で吐水キャップ１７が設けられている。吐水キャップ１７は、原水シャワー流出口に連通する原水シャワー吐出口、および原水ストレート流出口に連通する原水ストレート吐出口を供えている。
【００９２】
上記のように構成される切替弁１２の動作、作用について説明する。
【００９３】
切替レバー１５の回転に伴うカムシャフト２６の回転につれてカム３３が動き、弁体２４の一方端がカム３３により押圧されると、弁体２４は移動し連通口３１弁座から離れ、開弁（連通口３１開放）する。回転によりカム３３の押圧がなくなると、弁体バネ２５の付勢力および水流圧により、弁体２４は連通口３１弁座に当接し閉弁（連通口３１閉塞）する。結局、切替レバー１５の回転により、３つの弁体のいずれか一つを押圧することにより、３つの弁体２４は位相をずらして水平方向に往復移動し、３つの連通口３１を選択的に開閉する。
【００９４】
本実施形態では、切替レバー１５を９時の方向に切り替えると、浄水に対応する連通口３が開となり、他は閉となる。蛇口から原水入口部２１に供給された原水は、切替弁１２の原水流入口２８を通り、開となった連通口３１を通過して、原水供給用流出口からカートリッジ３へと供給される。カートリッジ３では原水の浄化がなされ、カートリッジの浄水吐出口から浄水が吐出される。
【００９５】
切替レバー１５を９０°時計方向に回転して１２時の方向にすると、カムシャフト２６が９０°回転し、原水シャワーに対応する連通口３１が開となる。この状態で、原水は原水シャワー流出口から原水シャワー流路５４に流出し、最終的に原水吐水部５１に取り付けられた吐水キャップ１７の原水シャワー吐出口から外部に吐出される。
【００９６】
切替レバー１５をさらに９０°時計方向に回転して３時の方向にすると、原水ストレートに対応する連通口３１が開となる。この状態で、原水は原水ストレート流出口から原水ストレート流路５３に流出し、最終的に吐水キャップ１７の原水ストレート吐出口から外部に吐出される。
【００９７】
以上のようにして、浄水器１としては、切替器２の切替レバー１５を操作して、浄水、原水シャワー、原水ストレートのいずれかの流路を選択、切り替えることができる。
【００９８】
以下に切替弁に関連する別の実施形態例について述べる。
【００９９】
上記実施形態では、切替弁は、切替弁の構成要素が１つの外郭をなす切替弁ケース内に配置され、１つのブロックをなしてしたが、例えば、原水入口部、上流室、下流室などが別体で、それらが連結して組み立てられる構造体であってもよい。
【０１００】
また、前記カムシャフトの回動によりカムシャフトのカムが前記複数の弁体を押圧することによって、複数の弁体を移動させて複数の流路を切り替える切替弁において、複数の弁体の移動方向が、複数の弁体による流路の開閉部（前記連通口に相当）の開口面に略垂直であり、かつ鉛直方向から所定の角度だけ傾いていさえすればよい。この場合でも、目的とする切替弁の上下方向厚さの縮減の効果を奏することができる。そして、前記所定の角度が鉛直方向から４５度〜１３５度だけ傾いた範囲であると、より効果が大きく、前記所定の角度が鉛直方向から略９０度であると、弁体の移動方向は水平方向となり、さらに効果が大きくなる。
【０１０１】
また、前記カムシャフトを回動させることによって前記複数の弁体を移動させて複数の流路を切り替える切替弁において、複数の弁体の移動方向が鉛直方向から所定の角度だけ傾いており、かつ複数の弁体がシール部と内部に凹凸を設けた枠体を有し、前記枠体を貫通するようにカムシャフトが配置され、カムシャフトの回動によりカムシャフトのカムが枠体の凹凸を押圧し、弁体が移動され、流路を開閉するものであればよく、この場合も、目的とする切替弁の上下方向厚さの縮減の効果を奏することができる。
【０１０２】
さらに、以下に切替弁に関連する変形実施形態例について述べる。
【０１０３】
原水流入口は、上流室の鉛直上面ではなく、上流室の側面（図３、図４の開口部が設けられるサイドの側面）に設けることもできる。この場合、原水流入口に連通する原水入口部には内部にＬ字形の流路を設けたり、原水入口部そのものをエルボ型にする。
【０１０４】
また、図４、図７では、原水流入口は、原水入口部底面の偏心した位置に設けられたが、原水入口部の位置を原水流入口の直上に配置することもできる。原水入口部中心と切替弁の原水ストレート流路の中心とは偏心することになる。
【０１０５】
また、弁体移動手段は、カムシャフトに設けられたカムではなく、例えば、各弁体に対応した複数の往復動可能な押しボタン状の弁体操作部の、先端に設けられる棒状の弁体押圧部であってもよい。この場合、弁体押圧部による弁体２４の押圧方向（の軸）は、弁体の移動方向（移動軸）と一致していることが好ましい。こうすることは、切替弁の上下方向厚さ低減に寄与する。またこの場合、下流室（または上流室の下流側）は、そこに設けられる複数の区画板ないしは区画管によって、複数の連通口に対応して区画されて、複数の流路を提供できるものであることが好ましい。もちろん、弁体の移動軸が鉛直方向から所定の角度（４５度〜１３５度など）の範囲で傾いて（図４に示すような切替器側面縦断面の紙面内だけでなく、紙面からはずれるような傾き方も含めて）、弁体押圧部による弁体の押圧方向（の軸）と弁体の移動軸が一致していなくてもよく、このような形態の時でも、弁体押圧部（弁体移動手段）は、弁体を移動させ、流路の開閉を行うことができる。
【０１０６】
また、カムシャフトを回転する切替レバーは、ラチェット機構を備えた両端支持のレバーであってもよい。
【０１０７】
また、切替レバーはカムシャフトと直結されず、歯車などを介して係合し、回転伝達するものであってよく、切替レバーとカムシャフトの回転軸が一致していなくてもよい。
【０１０８】
また、弁体の形状は、弁座（連通口の開口、流路の開閉部の開口）に当接するシール部を有せば、柱状（弁棒の形態）でなくて、ボール状（ボール・球体、楕円の回転体など）、Ｔ字形、円錐状、円錐台状など他の形状であってもよい。ボール状の場合、シール性を有するボールも好ましい。シール性を有するボールとしては、例えば、金属またはプラスチックボールにシール性のあるゴムなどを被覆したものや、ゴム製ボールが利用できる。
【０１０９】
また、当然ながら、弁体、連通口、カムシャフトの口径・直径は機能を損なわない範囲で細いものが望ましい。
【０１１０】
また、弁体の置かれる場所は、上流室でなく、下流室（下流側）とすることも可能である。
【０１１１】
また、カムを有するカムシャフトは、下流室ではなく、上流室にあってもよい。その他形態の弁体移動手段も、上流室、下流室（下流側）のどちらにあってもよい。
【０１１２】
また、カムシャフトのカムを含めた弁体移動手段の移動による弁体への押圧によって、流路（連通口、開閉部の開口）は、開放する場合だけでなく、閉塞する場合もあり得る。弁体移動手段の弁体への押圧により、流路が開放する場合は、弁体の移動軸方向（弁体の移動方向）に力を付与する付勢手段（弁体バネ等）は、流路閉塞方向に付勢し、その逆に、弁体移動手段の弁体への押圧により、流路が閉塞する場合は、付勢手段は、流路開放方向に付勢するように、付勢手段の配置と設定をするとよい。付勢手段もその配置と設定の仕方により、上流室、下流室（下流側）のどちらにある場合もあり得る。
【０１１３】
上述する実施形態の例として、図１２に示すような、弁体、弁体移動手段（カム）、付勢手段（弁体バネ）が全て、上流室に配置される場合もあり得る。弁体、弁体移動手段は水平配置されている。この場合、弁体移動手段が弁体の頭部側に配置され、弁体を押圧して、流路を閉塞する。弁体移動手段が動いて弁体への押圧がなくなると、弁体と上流室の下流側面（区画壁）との間に配置される付勢手段の付勢力（反発力）で流路は開放する。
【０１１４】
次に、吐水キャップ１７について、説明する。
【０１１５】
吐水キャップ１７は、図８のように円環状底面７１と、略円環の底面から連なる内側の側面７２と外側の側面７３と、円環状底面７１および外側の側面７３からなだらかに連なるヘラ状のツマミ７４を有する。吐水キャップ１７に、少なくとも１本の指が掛けられ、吐水キャップ１７の外周方向に押圧することで吐水キャップ１７を回転可能とする指掛け部を有するツマミ７４を、吐水キャップ１７の外周側に設けている。吐水キャップを確実に回すことを可能とし、吐水キャップ１７の着脱を容易かつ確実とする。ツマミ７４は外側の側面７３から連なる形状でも良く、円環状底面７１から連なる形状でも良く、吐水キャップ７４の外周側に設けることが好ましい。
【０１１６】
外側の側面７３の内壁にはバヨネット用の凸７５が設けられている。吐水キャップ１７は、切替弁１２のバヨネット溝５２に沿ってバヨネット用の凸７５を移動させることで、二重の円筒形状になっている切替弁１２の原水吐水部５１に取り付けられる。その際、外側の側面７３は、切替弁１２の外側Ｏリング５６を介して外側円筒と水密に接続され、原水シャワー流路５４を形成する。吐水キャップ１７における円環状底面７１には多数の孔が環状に配され、原水をシャワー状に吐出するための原水シャワー吐出口となっている。
【０１１７】
吐水キャップ１７における内側の側面７２より内側は、切替弁１２の内側Ｏリング５５を介して内側円筒と水密に接続され、原水ストレート流路５３を形成し、原水をストレート状に吐出するための原水ストレート吐出口となっている。
【０１１８】
ツマミ７４は板バネ７６と保護カバー４を固定する固定溝７７を有する。保護カバー４の切替器２に当接する面に設けた固定凸８２を、吐水キャップ１７の固定溝７７に嵌めることで、保護カバー４を切替器２に固定することができる。保護カバー４の固定方法は、凸と凹だけでなく、凸と凸を引っ掛けるなど固定できる形状であれば特に指定はない。
【０１１９】
板バネ７６はなくても良いが、固定溝７７の手前を板バネ７６とすることで、保護カバー４を繰り返し着脱した場合も、板バネ７６がない形状よりも固定凸８２が削れにくく、保護カバー４を切替器２に固定する力を長く維持できる効果がある。
【０１２０】
保護カバー４を切替器２に固定するための固定溝７７は切替器２にあれば良く、必ずしも吐水キャップ１７に設ける必要はない。本実施形態では吐水キャップ１７に原水ストレートおよび原水シャワーの形状を作る孔を設けているため、吐水キャップ１７を取り付けて使用することで、原水形状が整う。保護カバー４を切替器２に固定するための固定溝７７を吐水キャップ１７に設けているため、吐水キャップ１７未装着の状態では保護カバー４が取り付けられず、吐水キャップ１７の取り付け忘れを防ぐことができる。
【０１２１】
一般的な歯ブラシの毛の太さは約０．２ｍｍであるため、原水シャワー吐出口のシャワー孔の孔径を０．２ｍｍより大きく設計すると、孔の中まで洗浄しやすい効果がある。
【０１２２】
また、ツマミ７４を、切替器２の外縁まで延在する形状としても良い。ツマミ７４の先端が吐水キャップ回転中心から遠くなるため、てこの原理より、小さい力で吐水キャップを回すことが可能となる。特に、ツマミ７４を手前側外縁まで延在する形状とすると、いっそう操作しやすい形状となる。また、ツマミ７４を長くすると、保護カバー４を取り外して吐水キャップ１７を回転させた際に、吐水キャップ１７の回転角度によって、図９のように切替器２の外縁より外側にツマミ７４をはみ出させることができる。このはみ出している位置を吐水キャップ１７の装着開始位置とすると、切替器２を上から見た際にツマミ７４が見えているため、吐水キャップ１７を取り付けやすい利点がある。さらには、ツマミ７４と切替器２に印を付け、それぞれの印が並ぶ吐水キャップ１７と切替器２の配置が、切替弁１２に対する吐水キャップ１７の装着開始位置としておくと、吐水キャップ１７の装着開始位置を容易にみつけることができる効果もある。
【０１２３】
吐水キャップ１７を厚さ５ｍｍ以上とすると握ったり指をかけたりしやすく、吐水キャップ１７の着脱操作が行いやすく好ましい。特に吐水キャップ１７をバヨネットでなくネジで取り付ける場合には、指がかかりやすいため操作しやすく便利である。また、指に当たる面積が大きくなるため、指あたりが優しく、操作時の痛みを取り除くことができる。
【０１２４】
バヨネット機構を用いて吐水キャップ１７を着脱する構造では、吐水キャップ１７のツマミ７４だけに指をかけて力を加え、吐水キャップ１７を外すことが想定される。バヨネット溝を、斜めに開口しているため、吐水キャップ１７を回転させるだけで斜め下向きに取り外すことができる。本実施形態では、バヨネット溝の取り外しを誘導する溝側面において、開口する手前１ｍｍ程度を回転軸と平行にした。吐水キャップ１７を回転させながら斜め下向きに取り外すのではなく、略鉛直下向きにだけ誘導することで、吐水キャップ１７を静かに使用者の手に落とすことができる。
【０１２５】
本実施形態では、吐水キャップ１７に少なくとも１本の指がかけられるツマミ７４を設け、ツマミ７４を押圧することで吐水キャップ１７を回転させ、着脱させる手法としたが、吐水キャップ１７の外周面に２つ以上の平面や凹を設け、平面や凹をつかむことで吐水キャップ１７を回転させ着脱させる形状であっても良い。平面や凹をつくることで、つかみやすく力を入れやすい効果を得る。
【０１２６】
吐水キャップ１７の外周面を平面のみで形成する形状であっても良い。たとえば吐水キャップ１７の外周の断面を正六角形とすると、吐水キャップ１７が固く締め付けられた場合でもスパナや六角レンチなどで取り外すことも可能となる。
【０１２７】
本実施形態では、ヘラ状のツマミ７４を設けたが、指がかけられる形状であれば良く、棒状や、指がかけやすいように水平断面に窪みを有する凸などであっても良い。
【０１２８】
また、吐水キャップ１７の中央に、一本の直線を凹で設け、その凹みにコインを押し当て回すことで、吐水キャップ１７の着脱を行う手法も容易であり好ましい。
【０１２９】
本実施形態では、吐水キャップ１７を切替弁１２に取り付ける手法としてバヨネットを採用したが、ネジを用いて取り付けても良い。吐水キャップ１７にツメを設け、切替弁１２の原水吐水部５１内周に凸を設け、吐水キャップ１７のツメを内側にたわませながら原水吐水部５１に差し込み、ツメを原水吐水部５１内周の凸に引っ掛けることで吐水キャップ１７を取り付ける機構でも良い。逆に、原水吐水部５１の外周に凸を設け、吐水キャップ１７のツメを外側にたわませながら吐水キャップ１７を取り付ける機構でも良い。同様に、ツメを原水吐水部に設け、ツメを引っ掛ける凸を吐水キャップ１７に設けても良い。
【０１３０】
下カバー１４の下面に、切替器２を蛇口に取り付けた状態で上向きに凹む窪みを、図１０のように設け、窪みの範囲を少なくとも吐水キャップ１７の設置範囲、および、図９（ｂ）（ｃ）のように吐水キャップ１７に設けられたツマミ７４の可動範囲とした。吐水キャップ１７を切替器２の厚さの範囲内に収納することができ、切替器２の厚さを薄くすることができる。シンクと蛇口の距離が狭いシンクでも、蛇口下を広く使用できる利便性がある。また、裏側（下面）窪みを、原水が挿通可能な中央の穴から径方向に１０ｍｍ以上の幅で設けると、吐水キャップ１７を着脱する際に指が入る空間とすることができる。ツマミ７４がない場合も、吐水キャップ１７をしっかり握ることができるため操作がしやすい。
【０１３１】
ネジ機構を用いて吐水キャップ１７の着脱を行う構造の場合、吐水キャップ１７の着脱に際し、吐水キャップ１７を一周以上回転させることが多いため、裏側窪みは原水が挿通可能な中央の穴の周り全周にあると、着脱しやすい効果がある。
【０１３２】
バヨネット機構を用いて吐水キャップ１７の着脱を行う構造の場合、吐水キャップ１７およびツマミ７４の可動域だけに裏側窪みを設けても良い。この場合、吐水キャップ１７を切替器２の厚さの範囲内に収納することができるだけでなく、裏側窪みを設けない内部容量が大きい部分に、流量カウント機能やカートリッジの交換時期表示機能を作動させるための電池を嵌める電池ボックスなどを収納できる利点がある。
【０１３３】
また、吐水キャップ１７の可動範囲の両サイドに、さらに指が入る隙間ができるように裏側窪みを広げると、吐水キャップ１７着脱の際に、吐水キャップ１７と切替器２との間で指を挟んだりすることを予防できる利点がある。
【０１３４】
切替弁１２の原水吐水部５１に装着する内側Ｏリングと外側Ｏリングは、切替弁１２と吐水キャップ１７を水密にする役割を担うため、重要である。吐水キャップ１７を取り外した際に現れる内側Ｏリング５５と外側Ｏリング５６を、取り外し困難であるようＯリング装着溝の深さおよび幅を決定すると、Ｏリングの落下や紛失を予防することができる。
【０１３５】
本実施形態では、切替弁１２の原水吐水部５１と吐水キャップ１７をＯリングの外周を径方向に潰すことで水密状態としたが、原水吐水部５１と吐水キャップ１７の間に平パッキンを嵌め、パッキンを厚さ方向に潰すことで水密状態としても良い。
【０１３６】
吐水キャップ１７の上流に配する整流部材も、その目的のためには、必要である。ここで言う整流部材とは、原水ストレートの形状を整える役割を担うメッシュや原水シャワー形状を整える役割を担う整流板などを指す。整流部材は吐水キャップ１７を取り外した際に現れるが、切替弁１２内部への装着や、一体成形、溶着により、切替弁１２に固着させているため取り外すことができず、紛失を予防することができる。
【０１３７】
原水ストレート形状を整える整流部材として用いるメッシュは、原水ストレート流路５３内における上流寄り(例えば、下流室３０の原水ストレート流出口の直後)に設置することが好ましい。上流寄りに設置すると、シンクで跳ね返った汚れが原水ストレート吐出口に入った場合も、汚れがメッシュに付着しづらく、吐水キャップ１７を洗浄するだけで、切替器２を衛生的に維持することができる。
【０１３８】
整流板は、切替器２の原水シャワー流路５４に出た原水を、吐水キャップ１７の円環状底面７１に均等に行き渡らせることで、原水シャワー形状を整える。整流板を円盤状とすれば、円盤の周方向に原水を拡散させることができるため、吐水キャップ１７の円環状底面７１に均等に行き渡らせることができる。また、整流板を複数の穴を円環状に設ける形状としても良い。吐水キャップ１７を取り付け忘れた状態で使用した場合も、整流板自体がシャワー形状であるため、原水拡散により不用意に周囲の家財に水がかかることを防ぐことができる。
【０１３９】
本実施形態では、上カバー１３と下カバー１４で切替弁１２を挟む形態を切替器２と呼んだが、切替弁１２の表面が切替器２の表層面を兼ねている場合など、上カバー１３および下カバー１４は必ずしも必要ではない。したがって、切替弁１２が切替器２の下側表層面を形成している場合、下カバー１４は不要であり、本実施形態で下カバー下面に設けた窪みは切替弁１２の下面に設けると良い。
【０１４０】
また、本実施形態では、下カバー１４中央に、原水を挿通可能とする穴を円形状で設け、吐水キャップ１７を装着する形態を記載したが、吐水キャップ１７を着脱させる必要がない場合、下カバー１４に原水ストレート吐出口や原水シャワー吐出口にあたる吐出口を設ければ良く、スリットやメッシュなど、どのような形態であっても良い。
【０１４１】
切替器２は樹脂成形品であると製作しやすく安価である。樹脂材質としては、ポリスチレンやＡＳ樹脂（アクリロニトリルスチレン樹脂）、ポリカーボネート、アクリル樹脂、ポリエチレン、ＡＢＳ樹脂（アクリロニトリルブタジエンスチレン樹脂）、ポリプロピレンなどが使用可能である。特には、流路の切替を行う切替弁１２は、シール機構を有し、繰り返し切替操作を行うことから、成形精度が良く摩擦に強いＰＯＭ（ポリオキシメチレン、ポリアセタール）が好ましい。上カバー１３、下カバー１４、切替レバー１５、吐水キャップ１７は、外観を担う部分であり、他部材との係合部が多いことから、成形精度や成形性が良く光沢のあるＡＢＳ樹脂が好ましい。
【０１４２】
次に、保護カバー４について説明する。
【０１４３】
保護カバー４は、図１１、図１３、図１４のように切替器２の下面から側面に沿った肉薄の部材であり、切替器２に着脱可能に装備される。肉薄とは樹脂厚さ２ｍｍ以下を指す。切替器２と一体的な形状となることで、美観を保つことができる。
【０１４４】
切替器２の表層が複数の部材から構成される場合、複数の部材のうち少なくとも隣り合う二部材の境界の一部を保護カバー４で覆うことで、境界が汚れることを防ぎ、手入れを楽にすることができる。つまり、切替器２の側面を覆っているため、上カバー１３と下カバー１４の境界を覆うことができ、切替器２で汚れがたまりやすく洗浄しづらかった上カバー１３と下カバー１４の境界に汚れがたまることを防ぐ効果がある。同様に、下カバー１４が複数の部材で構成される場合、下カバー１４を担う複数の部材の境界を保護カバー４で覆うことで、境界が汚れることを防ぐ効果がある。
【０１４５】
同様に、本実施形態のように、上カバー１３と液晶表示１６の境界など、複数の隣接する部材同士の境界を保護カバー４で覆うと、異物や汚れがたまりやすい箇所を減らすことができ、衛生的に使用できる。
【０１４６】
保護カバー４を切替器２の前面、背面、左右の側面のうち一面を覆わない形状とすると、保護カバー４を水平方向に動かすだけで着脱できて簡単である。切替器２の背面を覆わない形状とすると、切替器の前面の方向に引くことで保護カバー４を取り外すことができる構造となり、保護カバー４のデザインを左右対称とすることができるため、美観をつくることができる。
【０１４７】
保護カバー４の下面に指掛け凸８３を設けているため、保護カバー４に指が掛かりやすく手前に引きやすい効果がある。指掛け凸８３は保護カバー４に指がかかりやすければ良く、窪みで形成されても良い。
【０１４８】
保護カバー４は樹脂成形品であると製作しやすく安価であり、かつ、切替器２に繰り返し着脱する際の傷が少ない利点がある。樹脂材質としては、ポリスチレンやＡＳ樹脂（アクリロニトリルスチレン樹脂）、ポリカーボネート、アクリル樹脂、ポリエチレン、ＡＢＳ樹脂（アクリロニトリルブタジエンスチレン樹脂）、ポリプロピレンなどが使用可能である。保護カバー４は肉薄であるため、柔軟性に富むポリプロピレンであると破損しづらく好ましい。また、ＡＢＳ樹脂を用いると、塗装やメッキ、印刷など、装飾しやすい利点がある。
【０１４９】
本実施形態の保護カバー４の形状は、保護カバー４中央に孔８１のみを設け、切替器２に設けた原水ストレート吐出口や原水シャワー吐出口により原水形状を形成したが、保護カバー４に原水ストレート吐出口と原水シャワー吐出口があっても良い。この場合、保護カバー４が吐水キャップ１７の機能を兼ねる。略円環の底面と、底面から連なる内側面と外側面を有し、切替弁１２の原水吐水部５１と水密に接続される。吐水キャップ１７が不要な分、安価に構成できる。また、洗浄部品が減るため、使用者の手入れも楽になる利点があって好ましい。
【０１５０】
本実施形態では、保護カバー４を切替器２にスライドして装着し、吐水キャップ１７の板バネ７６奥の固定溝７７に固定する形態を採用したが、その他にも、切替器２の原水吐水部５１を中心にネジやバヨネットを用いて切替器２に下から装着しても良く、市販のネジやボルトを用いて切替器２に固定しても良い。また、ゴムなど伸縮性のある素材を用いたバンドを取り付けた保護カバー４を、バンドを用いて切替器２に固定しても良い。保護カバー４と切替器２の一方にツメを設け、もう一方に凸を設け、ツメをたわませて保護カバー４と切替器２を装着し、凸にツメを引っ掛けて固定しても良い。
【０１５１】
保護カバー４の着脱方向は、手前であると操作しやすいが、略鉛直方向とすると、奥行きの狭いシンクでも容易に着脱可能であり好ましい。一般に、原水吐水部５１は切替器２の下側に鉛直下向きに伸びる円筒状で設けられる。この場合、原水吐水部５１の軸方向と保護カバー４の着脱方向がほぼ平行であるため、保護カバー４中央に設けた原水を挿通可能とする孔８１と原水吐水部５１の隙間を小さくすることができる。保護カバー４を手前に引いて着脱する場合よりも保護カバー４で保護できる範囲を広くすることができる。
【０１５２】
保護カバー４と切替器２の間を水密状態とすると、保護カバー４と切替器２の間に溜まる水や汚れによるカビや水垢などを防ぐことができるため好ましい。保護カバー４に水抜き穴を設けておくと、保護カバー４と切替器２の間に水が入ってしまった場合も、水抜きをすることができて良い。
【０１５３】
本実施形態によれば、保護カバー４を一部材で安価に作製し、一方向に動かすだけで着脱できる形状を採用した。一方で、２つ以上の部材をヒンジで繋ぐなど保護カバー４に開閉機能を保持させると、一方向に動かす保護カバー４では覆いきれない切替器２の面、例えば全面を覆うことが可能となり、保護域を自由に選択できる利点がある。
【０１５４】
切替器２を略円筒状とする場合、保護カバー４も内側にめねじを有する略円筒形状とし、切替器２の外周に設けたおねじに取り付けると、コンパクトに強力に保護カバー４を取り付けることができる。
【０１５５】
カートリッジ３を切替器２の内部に収納するなど、切替器２が、蛇口取り付け位置から背面側が長い形状である場合、保護カバー４を切替器２の背面側に嵌め込む形状としても良い。この場合、保護カバー４を取り外すだけで、手が届きにくい背面や背面側下面の汚れを洗浄することができる利点がある。
【０１５６】
保護カバー４はカートリッジ３に取り付ける構造でも良い。例えば図１のようにカートリッジ３が切替器２の側方に位置する場合、カートリッジ３の側面に複数の凸を設け、保護カバー４を凸にかけて固定し、切替器２の下方を覆う形状としても良い。同様に凸の代わりにツバやツメを設けても良い。
【０１５７】
カートリッジ３が切替器２の内部に収納される場合などは、切替器２に浄水吐出口が設けられることが多い。原水の吐出口だけでなく浄水の吐出口も設けることで、切替器２の下面全体を保護カバー４で覆い保護することができる。
【０１５８】
本実施形態のように保護カバーで切替器２の下方を覆うことを目的とする場合、切替弁１２から下カバー１４を着脱できる構造とし、下カバー１４に保護カバー４の機能を持たせても良い。下カバー１４を複数部材で構成し、最も衛生的に維持したい原水吐水部５１周縁を含む部材を着脱できる構造としても良い。原水形状を形成する吐出口は切替弁１２に設けても良く、吐水キャップ１７を設けても良い。また、原水形状を形成する吐出口を保護カバー機能を有する下カバーや、原水吐水部５１周縁を含む下カバーの一部材に設けることで、下カバー１４に、保護カバーと吐水キャップの機能を持たせても良い。いずれの場合も構成部材を減らすことができ、浄水器を安価かつコンパクトにできる効果がある。
【０１５９】
保護カバー４をシリコーンなど伸縮性の高い樹脂で形成し、保護カバー４を伸ばして下カバー１４の外周にひっかけて固定する構造でも良い。切替弁１２の原水吐水部５１に固定できる例えば円筒などの固定成形部材を設け、固定成形部材の外側をシリコーン樹脂で形成すると、保護カバー４の位置決めや取り付けを容易とすることができる。また、シリコーン樹脂性保護カバー４の伸ばし方が悪く原水形状を乱す懸念を解消することもできる。さらには、吐水キャップ１７の外側をシリコーン樹脂で形成すると、保護カバー４と吐水キャップ１７を１つの部材としてつくることができる。一度に洗浄できる利点がある。
【０１６０】
本実施形態は、シンクから跳ね返った汚れから切替器２の裏側を保護し、切替器２の裏側にあたる部分の洗浄を手軽に実施できることを目的としたが、保護カバー４が蛇口と切替器２の接続部を覆う形態であっても良い。
【０１６１】
蛇口と取り付けナット１１と切替器２が該当する蛇口と切替器２の接続部には、部材同士の隙間や凹凸が多い。隙間や凹みに埃や食品汚れなどがたまりやすく、従来品は頻度よく洗浄しなくてはならない問題があった。保護カバー４が蛇口と切替器２の接続部を覆う形態であれば、保護カバー４だけを取り外して洗浄することで、簡単に、切替器２を衛生的かつ美しく維持することができる。例えば、保護カバー４を１枚の薄い成形品で作製し、先端を落とした円錐状に巻きつけるような形状を採用すると、着脱が容易な上、開いて洗浄できるため使いやすい利点がある。また、空洞のドーナツ型を半分に割ったようなリング状のカバーとすれば、高さの低い保護カバー４とすることができる。上記のように埃や食品汚れなど、水洗いで落としづらい汚れを防ぐことができるだけでも、切替器２を簡単に衛生的かつ美しく維持することができるが、さらに、蛇口と保護カバー４の接続部にシール性を持たせると、水垢の発生も抑制することができて好ましい。
【０１６２】
同様に、従来製品において、上カバー１３と液晶表示１６の境界も異物や汚れがたまりやすく、洗浄しづらい問題があった。本実施形態では、保護カバー４を切替器２の裏側保護を目的として切替器２の下方に取り付けたが、切替器２の上面上方にスライド嵌めこみにより取り付け、切替器２の上面を保護する形状としても良い。
【０１６３】
また、保護カバー４として、液晶表示よりも大きいフィルムを用いて液晶表示周辺も覆うことで、異物や汚れたまりを防ぎ、洗浄しやすい製品を実現することができる。フィルムを何重にも貼り付け、汚れたら一番上のフィルムを剥ぎ取って美しくすることも可能だが、上カバー１３に張り付きやすい素材のフィルムや、貼って剥がせる粘着剤付きのフィルムなどを採用し、汚れたら洗浄して再度貼り付け、繰返し使用することができれば、安価な上にゴミ削減にもなるため好ましい。
【０１６４】
保護カバー４は、切替器２の汚れを予防して洗浄を簡潔化する目的を達成すれば良く、例えば成形品に限らず、フィルムを貼り付ける形態やシリコーンゴムを伸ばして巻きつける形態であっても良い。
【０１６５】
その他、保護カバー４に、液体をはじきやすい材質を用いたり撥水コーティングを施したりすると、保護カバー４自体に防汚効果と洗浄しやすい効果を持たせることができる。また、抗菌コーティングを施したり抗菌剤入りの樹脂を用いたりすると、繰返し洗浄によりキズが付いた場合も菌が発生しにくく保護カバー４自体を衛生的に使用できる。さらに、保護カバー４に着色やデザイン性を持たせることで、浄水器自体の美観を付加することもできる。
【０１６６】
本実施形態では、カートリッジの交換寿命の表示手段に液晶表示を記載したが、その他、カレンダー表示などの機構であっても良い。
【０１６７】
本実施形態では、吐水キャップ１７を切替弁１２に着脱可能に取り付けられる部材とし、原水ストレートや原水シャワーの形状を吐水キャップ１７によって形成する構成としたが、吐水キャップ１７を設けず、原水ストレートや原水シャワーの形状を下カバー１４によって形成する構成であっても、保護カバー４の効果を得ることができる。
【０１６８】
本実施形態によれば、吐水キャップ１７には原水の吐出口を設けたが、浄水吐出口にも応用することができ、さらには原水と浄水双方の吐出口を設ける形態であっても好ましい。原水の吐出口と浄水の吐出口を個別の部材で設けても良いが、一部材であれば、安価であり、また、使用者も一度に原水吐出口と浄水吐出口の両方を洗浄できるため利便性が高い。
【産業上の利用可能性】
【０１６９】
本発明は、浄水器に限らずストレート状吐水やシャワー状吐水を有する水栓などにも応用することができるが、その応用範囲が、これらに限られるものではない。
【符号の説明】
【０１７０】
１：浄水器
２：切替器
３：カートリッジ
４：保護カバー
１１：取り付けナット
１２：切替弁
１３：上カバー
１４：下カバー
１５：切替レバー
１６：液晶表示
１７：吐水キャップ
２１：原水入口部
２２：原水入口
２３：切替弁ケース
２４：弁体
２５：弁体バネ
２６：カムシャフト
２７：ケース蓋
２８：原水流入口
２９：上流室
３０：下流室
３１：連通口
３２：区画壁
３３：カム
３４：クリックストップ機構
５１：原水吐水部
５２：バヨネット溝
５３：原水ストレート流路
５４：原水シャワー流路
５５：内側Ｏリング
５６：外側Ｏリング
７１：円環状底面
７２：内側の側面
７３：外側の側面
７４：ツマミ
７５：バヨネット用の凸
７６：板バネ
７７：固定溝
８１：孔
８２：固定凸
８３：指掛け凸
【図１】
2013154334.tif 000003
【図２】
2013154334.tif 000004
【図３】
2013154334.tif 000005
【図４】
2013154334.tif 000006
【図５】
2013154334.tif 000007
【図６】
2013154334.tif 000008
【図７】
2013154334.tif 000009
【図８】
2013154334.tif 000010
【図９】
2013154334.tif 000011
【図１０】
2013154334.tif 000012
【図１１】
2013154334.tif 000013
【図１２】
2013154334.tif 000014
【図１３】
2013154334.tif 000015
【図１４】
2013154334.tif 000016